(57)【要約】      （修正有）【課題】ペットボトル等の液体収納容器の気密性を保ちながらその栓に孔を開け、外部から液体収納容器内にニードル等により内部の気体または液体を採取する、ガス採取アダプターを提供する。【解決手段】挿入孔１１と液体収納容器４０の栓４１に装着する装着部とを有する固定部１０と、一方端に尖頭部２１を有し他方端にシール部材３０を有し一方端を挿入孔に挿入するパイプ部２０とを有する。また、液体収納容器の栓と固定部の天井部１０ａとの間に第２のシール部３１をさらに有し、挿入孔の周囲と栓との間をシールする。【選択図】図１
0003213788.tif 000002
【実用新案登録請求の範囲】
【請求項１】
挿入孔を有する天井部および液体収納容器の栓に装着される円筒部を有する固定部と、
一方端には尖頭部が形成され、他方端には第１のシール部材が設けられ、前記一方端が前記挿入孔に挿入されるパイプ部とを有する、ガス採取アダプター。
【請求項２】
請求項１に記載のガス採取アダプターにおいて、
前記液体収納容器の栓と前記天井部との間に配置される第２のシール部材をさらに有し、前記第２のシール部材は、前記天井部の前記挿入孔の周囲と前記液体収納容器の栓との間をシールする、ガス採取アダプター。
【請求項３】
請求項１または２に記載のガス採取アダプターにおいて、
前記液体収納容器の栓に装着される一対の半円筒形形状の分割片を含む装着部をさらに有し、
前記固定部は前記装着部を介して液体収納容器の栓に装着される、ガス採取アダプター。
【請求項４】
請求項３に記載のガス採取アダプターにおいて、
前記装着部の周面には雄ねじが形成されており、前記円筒部には前記雄ねじと螺合する雌ねじが形成されている、ガス採取アダプター。
【請求項５】
請求項１から請求項４までのいずれか一項に記載のガス採取アダプターにおいて、
前記パイプ部は、前記一方端に尖頭部が設けられたパイプ本体と、前記パイプ本体の前記他方端に設けられたシール部材保持機構を有する、ガス採取アダプター。
【請求項６】
請求項５に記載のガス採取アダプターにおいて、
前記シール部材保持機構は、
前記パイプ本体の前記他方端に装着されている保持部と、
前記保持部に嵌着する嵌着部とを有し、
前記第１のシール部材は、前記保持部と前記嵌着部により圧縮して保持されている、ガス採取アダプター。
【請求項７】
請求項６に記載のガス採取アダプターにおいて、
前記保持部と前記嵌着部には、相互に螺合するねじが形成されている、ガス採取アダプター。
【請求項８】
請求項１から請求項７までのいずれか一項に記載のガス採取アダプターにおいて、
前記尖頭部の少なくとも一部には雄ねじが形成されている、ガス採取アダプター。
【考案の詳細な説明】
【技術分野】
【０００１】
本考案は、ガス採取アダプターに関する。
【背景技術】
【０００２】
ペットボトル等の液体収納容器に入った試料、すなわち飲料水、調味料、化粧品または医薬品の香気成分や臭気の分析には、例えば特許文献１に開示されるように、液体収納容器を開封し、内容物である飲料水等を試料瓶に移し替えて、試料瓶のヘッドスペースに溜まったガスを分析する必要があった。
【先行技術文献】
【特許文献】
【０００３】
【特許文献１】特開２０１６-１１４４５６号公報
【考案の概要】
【考案が解決しようとする課題】
【０００４】
従来使用されている分析方法では、開封前の液体収納容器内のガスや液体を、外気による汚染や揮散の影響を受けずに分析することは困難である。また、分析のためには内容物を試料瓶に移し替え手間がかかることも課題である。
【課題を解決するための手段】
【０００５】
本考案の一態様によると、ガス採取アダプターは、挿入孔を有する天井部および液体収納容器の栓に装着される円筒部を有する固定部と、一方端には尖頭部が形成され、他方端には第１のシール部材が設けられ、前記一方端が前記挿入孔に挿入されるパイプ部とを有している。
【考案の効果】
【０００６】
本考案によるガス採取アダプターによれば、ペットボトル等の液体収納容器の気密性を保ちながらその栓にパイプ部で孔を開け、外部からパイプ部を介して液体収納容器内にニードル等の採取治具を挿入して内部の気体または液体を採取することができるので、液体収納容器内のガス分析などの信頼性および作業性が向上する。
【図面の簡単な説明】
【０００７】
【図１】本考案のガス採取アダプターの一実施の形態を示す図。
【図２】固定部の変形例を示す図。
【図３】パイプ部の変形例を示す図。
【考案を実施するための形態】
【０００８】
（本考案のガス採取アダプターの一実施の形態）
以下、本考案のガス採取アダプターについて図面に基づき説明する。図１は、本考案のガス採取アダプターの一実施の形態を示す図であり、ガス採取アダプター１００が液体収納容器４０の栓４１に装着された状態を示す断面である。
ガス採取アダプター１００は、固定部１０とパイプ部２０とを有して構成されている。固定部１０は天井部１０ａと円筒部１０ｂを有し、有底円筒形状を呈している。固定部１０は、円筒部１０ｂを液体収納容器４０の栓４１に被せ、円筒部１０ｂで栓４１を包み込みようにして液体収納容器４０に装着されている。天井部１０ａは円筒部１０ｂの底板である。
パイプ部２０は、図中下端において先の尖った尖頭部２１を有しており、他方端である図中上端にはシリコンゴム等の弾性体からなるセプタム等の第１のシール部材３０が装着されている。
【０００９】
パイプ部２０の材質は、強度およびアウトガスの少なさの観点からステンレス等の金属に不活性処理を施したものが好ましい。
固定部１０の天井部１０ａと液体収納容器４０の栓４１との間には弾性材で形成されたシール板等の第２のシール部材３１が配置されている。固定部１０の天井部１０ａには、パイプ部２０を挿入するための挿入穴１１が開いており、パイプ部２０はこの挿入穴１１を通り、さらには尖頭部２１が第２のシール部材３１と栓４１の上面を突き破ることにより、その一端が液体収納容器４０内の空間に挿入されている。
第２のシール部材３１は、固定部１０を栓４１に装着したときに天井部１０ａと栓４１の上面との間で圧縮される。したがって、パイプ部２０が第２のシール部材３１と栓４１を突き破り、栓４１に刺さった状態で、天井部１０ａの挿入孔１１の周囲と栓４１との間をシールする。
【００１０】
この状態で、パイプ部２０の中に、第１のシール部材３０を介して不図示の注射器に備えられたニードル（シリンジ、注射針）５０を刺し込むことにより、ニードル５０を経由して液体収納容器４０内の気体または液体を注射器に採取することができる。
そして、注射器に採取した気体または液体を、ガスクロマトグラフ質量分析計等の分析装置で分析することで、液体収納容器内の気体または液体を外気への揮散や外気による汚染を低減した状態で分析することができる。
なお、挿入孔１１の大きさをパイプ部２０の直径とほぼ等しくするなどにより、挿入孔１１の周囲の気密性が保たれる場合には、第２のシール部材３１を省略することもできる。
【００１１】
上述の液体収納容器４０は、いわゆるＰＥＴボトルや、他の樹脂製、ガラス製または金属製の容器である。また、パイプ部２０の尖頭部２１によって突き破ることができる、例えば樹脂製の材質からなる栓４１を備えたものを使用するのが好ましい。
なお、栓４１の形状については、間接的ながら栓４１を取り付ける部分の液体収納容器４０の部分の形状として規格化されているものもある。例えば、いわゆるペットボトルの場合には、栓４１の取り付け部分の種々の形状（大きさやねじの形状）に関する規格が、民間規格団体であるＩｎｔｅｒｎａｔｉｏｎａｌ  Ｓｏｃｉｅｔｙ  ｏｆ  Ｂｅｖｅｒａｇｅ  Ｔｅｃｈｎｏｌｏｇｉｓｔｓにより管理され、以下のURLで公開されている。
https://www.bevtech.org/threadspecs-downloads.asp
従って、栓４１に装着する固定部１０の形状は、このような規格を参照しつつ、各々の規格に応じて適切に設計することができる。
【００１２】
（一実施の形態の効果）
本考案の一実施の形態によれば、下記の効果を奏する。
ガス採取アダプター１００は、挿入穴１１を有する天井部１０ａ、および液体収納容器４０の栓４１に装着される円筒部１０ｂを有する固定部１０と、一方端に尖頭部２１が形成され、他方端に第１のシール部材３０が装着され、一方端が挿入孔１１に挿入されるパイプ部２０とを有している。
この構成により、例えばＰＥＴボトルのような液体収納容器４０の栓４１に固定部１０を被せ、パイプ部２０の尖頭部２１を栓４１の上面に突き刺し、尖頭部２１を液体収納容器４０内に貫通させる。注射針などを第１のシール部材３０に突き刺し、注射針をパイプ部２０内に挿通させ、その先端を液体収納容器４０内に導く。パイプ部２０と注射針を通って、液体収納容器内の気体または液体を、外気による汚染がなく、かつ簡易に採取することができる。すなわち、簡易型のガス採取アダプターを提供することができる。
【００１３】
第２のシール部材３１は、天井部１０ａの挿入孔１１の周囲と栓４１との間をシールするため、パイプ部２０と栓４１の間の気密性が損なわれた場合にも、液体収納容器４０内への外気の混入および外気への揮散を防止できる。これにより、外気による汚染や外気への揮散が一層少ないガス採取アダプターを実現することができる。
【００１４】
（ガス採取アダプターの変形例１）
図２は、ガス採取アダプターの変形例を示す斜視図である。上記実施の形態では、固定部１０を、直接、栓４１に被せてガス採取アダプターを液体収納容器４０に取り付けた。変形例１では、装着部１２を介して固定部１０を液体収納容器４０に取り付ける。図２は、固定部１０を液体収納容器４０の栓４１に取り付ける取付構造を構成する各構成部品が分解された状態を示す分解図である。
本変形例のガス採取アダプターは、装着部１２を分割構造にしたものである。図２を参照して説明する。
【００１５】
図２に示すとおり、装着部１２は一対の分割片１２Ａを含み、分割片１２Ａは分離可能である。２つの分割片１２Ａはそれぞれ図中の左右から栓４１に装着され、全体として１つの円柱状の装着部１２を構成する。装着部１２が液体収納容器の栓４１に装着され、装着部１２の外周を包み込むように図中の上方から固定部１０が装填されて、固定部１０が栓４１に装着される。装着部１２の図中の下端には、栓４１への装着の確度を増すための係止部１２ｂが設けられている。係止部１２ｂを省略することもできる。
本変形例においても、固定部１０は第２のシール部材３１を備えていても、備えていなくても、どちらでも良い。第２のシール部材３１を備える場合には、上記の一実施の形態と同様に、第２のシール部材３１は天井部１０ａの挿入穴１１の周囲と栓４１との間をシールする。
【００１６】
（ガス採取アダプターの変形例１の効果）
本変形例のガス採取アダプターは、液体収納容器４０の栓４１に装着する一対の半円筒形形状の分割片１２Ａから成る装着部１２をさらに有し、固定部１０は装着部１２を介して液体収納容器４０の栓４１に装着される。そのため、上述の一実施の形態の効果に加えてさらに、固定部１０をより確実に液体収納容器４０の栓４１に装着できるという効果がある。
【００１７】
（ガス採取アダプターの変形例２）
上記の変形例１において、さらに、装着部１２の周面に雄ねじを形成し、固定部１０の円筒部１０ｂの内側面には、その雄ねじと螺合する雌ねじを形成する。この構成により、固定部１０を装着部１２に対してねじ止めすることができるので、固定部１０を液体収納容器４０の栓４１にさらに確実に装着できるという効果がある。また、液体収納容器４０の栓４１と天井部１０ａとの間で第２のシール部材３１が圧縮されてシール性が向上する。
なお、固定部１０を装着部１２に螺合する際、装着部１２を栓４１に対して回転させないように回転不可構造を備えるとよい。作業者は、液体収納容器４０の本体を把持し、固定部１０を回転させながら装着部１２に螺着することにより、固定部１０を液体収納容器４０に取り付けることができる。これにより、ガス採取アダプターの取付性を向上させることができる。
【００１８】
（パイプ部の変形例１）
図３は、パイプ部の変形例１を示す斜視図であり、以下で述べる各構成部品が分解された状態を示す分解図である。
本変形例のパイプ部２００は、パイプ本体２０Ａの端部（上方端）にシール部材保持機構３００を設け、図１に示す第１のシール部材３０に代替された第１のシール部材３２を保持するようにしたものである。
本変形例のシール部材保持機構３００は、保持部２２と嵌着部２４とを含んで構成されている。保持部２２は、概ね円柱形状を呈し、パイプ本体２０Ａの上方端に接着または融着等により設けられている。そして、保持部２２には、パイプ本体２０Ａの中空孔と連通するように通気孔２３が設けられている。
【００１９】
保持部２２の上面には、一例としてシリコンゴム等の弾性体からなるセプタム等の第１のシール部材３２が配置されている。そして、保持部２２を包み込むように、その外周に図中の上方から嵌着部２４が嵌着される。嵌着部２４には、パイプ本体２０Ａの中空孔と連通するための孔２５が形成されている。第１のシール部材３２は、嵌着部２４と保持部２２との間で圧着されることにより、孔２５の周囲の嵌着部２４と通気孔２３の周囲の保持部２２との間をシールする。
液体収納容器４０の内部から気体または液体を採取するためのニードルは、孔２５を通して第１のシール部材３２を突き破り、通気孔２３を経てパイプ本体２０Ａに至る。
【００２０】
なお、上記の例では、嵌着部２４は保持部２２を外側から包み込む構成としたが、これに限らず、保持部の径が嵌着部の径よりも大きく、従って保持部が嵌着部を包み込むような構成であっても良い。
【００２１】
（パイプ部の変形例１の効果）
本変形例のパイプ部２００は、パイプ本体２０Ａの尖頭部２１が設けられている端とは反対側の端に装着される保持部２２と、その保持部２２に嵌着する嵌着部２４とを有するシール部材保持機構３００を設けている。第１のシール部材３２は保持部２２と嵌着部２４により圧縮されて保持されるので、第１のシール部材３２によるシール（気密化）の効果が高まり、外気への揮散や外気の混入を一層低減できるという効果がある。
【００２２】
なお、上記の変形例１によるパイプ部２００では、シール部材保持機構３００は、保持部２２と嵌着部２４を含むものとしたが、シール部材保持機構３００はこれに限らない。例えば、パイプ部２０と嵌着部２４との間で直接第１のシール部材３２を圧縮して保持するものであっても良い。
【００２３】
（パイプ部の変形例２）
上記の変形例１のパイプ部２００において、保持部２２と嵌着部２４の双方に、相互に螺合しあうねじを形成することもできる。
【００２４】
（パイプ部の変形例２の効果）
この変形例２のパイプ部２００においては、嵌着部２４を保持部２２に対してねじ止めすることができるので、第１のシール部材３２によるシールをさらに高めることができるという効果がある。
【００２５】
（パイプ部の変形例３）
上記の一実施の形態および各変形例において、パイプ部２０の一方端の尖頭部２１、およびパイプ本体２０Ａの一方端の尖頭部２１には、その周面の少なくとも一部に雄ねじを形成することもできる。
【００２６】
（パイプ部の変形例３の効果）
この変形例３のパイプ部２０，２００においては、尖頭部２１の周面の少なくとも一部に雄ねじが形成されているので、パイプ部２０やパイプ本体２０Ａの尖頭部２１により液体収納容器４０の栓４１を突き破る際に、パイプ部２０，２００をその雄ねじの螺旋方向に回転させながら押し込むだけでよい。これにより、パイプ部２０やパイプ本体２０Ａで容易に栓４１の上部を突き破ることができるという効果が得られる。
【００２７】
上記では、種々の実施の形態および変形例を説明したが、本考案はこれらの内容に限定されるものではない。本考案の技術的思想の範囲内で考えられるその他の態様も本考案の範囲内に含まれる。
【符号の説明】
【００２８】
１００  ガス採取アダプター
１０  固定部
１０ａ  天井部
１０ｂ  円筒部
１２  装着部
１２Ａ  分割片
２０  パイプ部
２０Ａ  パイプ本体
２１  尖頭部
２２  保持部
２４  嵌着部
４０  液体収納容器
４１  栓
３０、３２  第１のシール部材
３１  第２のシール部材
２００  パイプ部
３００  シール部材保持機構
【図１】
0003213788.tif 000003
【図２】
0003213788.tif 000004
【図３】
0003213788.tif 000005